(57)【要約】【課題】  水中において水草や藻等を釣針基端部に絡まずに掻き分けながら釣針を進ませることができ、岩礁やその他障害物に衝突しても釣糸が結ばれた釣針基端部を保護するとともに、根掛かりを引き起こし得る岩礁やその他の障害物が釣針の周囲に存在することを振動によって釣人に伝えることが可能な根掛かり防止具を提供する。【解決手段】  硬質材を主体とする素材から形成された先端部１０と、軟質材を主体とする素材から形成された後端部２０と、後端部２０から先端部１０までに釣糸Sを挿通するように穿設された挿通孔３０と、からなり、後端部２０は、釣針基端部４１を収容する収容部２１と、を有することを特徴するものである。【選択図】  図１
2018161111.tif 000002
【特許請求の範囲】
【請求項１】
硬質材を主体とする素材から形成された先端部と、軟質材を主体とする素材から形成された後端部と、前記後端部から前記先端部に釣糸を挿通する穿設された挿通孔と、からなり、前記後端部は、釣針基端部を収容し得る収容部を有することを特徴とする根掛かり防止具。
【請求項２】
先端部は、略円錐状に形成されたことを特徴とする請求項１記載の根掛かり防止具。
【請求項３】
先端部は、該先端部の底面から下方に延出して、後端部に形成された雌ねじ部と螺合し得る雄ねじ部を備えた接続部を有することを特徴とする請求項１又は２のいずれか一項に記載の根掛かり防止具。
【請求項４】
接続部は、後端部の収容部に遊嵌合した状態で収容された針基端部を挟持し得るように中央部を切り欠いて形成された挟持部を有することを特徴とする請求項３記載の根掛かり防止具。
【請求項５】
略円柱状に形成された後端部を有することを特徴とする請求項１又は３のいずれか一項に記載の根掛かり防止具。
【請求項６】
後端部は、先端部の雄ねじ部と螺合し得る雌ねじ部を備えた収容部を有することを特徴とする請求項３又は５のいずれか一項に記載の根掛かり防止具。
【発明の詳細な説明】
【技術分野】
【０００１】
本発明は、釣針を水草や藻及び岩礁などに引っ掛けて根掛かりしてしまうことを防止するための根掛かり防止具に関する。
【背景技術】
【０００２】
従来、釣針を水草や藻又は岩礁などに引っ掛けて根掛かりしてしまうことを防止するために、針の基端及び先端を覆って保護する種々の根掛かり防止具が提案され、とりわけ、合成樹脂等の弾力性を具えた可塑性素材により形成された筒状取付部７（特許文献１参照）、又は、可撓性を有するゴムや軟質プラスチック素材により形成された中空部材１（特許文献２参照）、によって釣針基端部を覆うことを特徴とするものがある。
【先行技術文献】
【特許文献】
【０００３】
【特許文献１】実公昭５０−７１８３号公報
【特許文献２】特開平３−２７２６３３号公報
【発明の概要】
【発明が解決しようとする課題】
【０００４】
しかしながら、上記特許文献に記載された発明は、釣針基端部を弾性部材によって覆うものであるため、釣針基端部が岩礁及びその他の障害物に衝突しても釣針基端部及び釣糸の結び目を保護することができず、また釣針基端部とその周囲の岩礁やその他障害物に衝突したときの振動を釣人に伝えることができず、岩礁やその他障害物により一層根掛かりを引き起こす恐れがある。
【０００５】
したがって、本発明は、水中において水草や藻等を釣針基端部に絡まずに掻き分けながら釣針を進ませることができ、岩礁やその他障害物に衝突しても釣糸が結ばれた釣針基端部を保護するとともに、根掛かりを引き起こし得る岩礁やその他の障害物が釣針の周囲に存在することを振動によって釣人に伝えることが可能な根掛かり防止具を提供することを目的とする。
【課題を解決するための手段】
【０００６】
上記課題に鑑み、本発明は、硬質材を主体とする素材から形成された先端部と、軟質材を主体とする素材から形成された後端部と、前記後端部から前記先端部に釣糸を挿通するように穿設された挿通孔と、からなり、前記後端部は、釣針基端部を収容し得る収容部を有すること、を特徴とする根掛かり防止具である。
【０００７】
また、上述した構成に加え、先端部は、略円錐状に形成されたことが好ましい。
【０００８】
また、上述した構成に加え、先端部は、該先端部の底面から下方に延出して、後端部の雌ねじ部と螺合し得る雄ねじ部を備えた接続部を有することが好ましい。
【０００９】
また、上述した構成に加え、接続部は、後端部の収容部に遊嵌合した状態で収容された針基端部を挟持し得るように中央部を切り欠いて形成された挟持部を有することが好ましい。
【００１０】
また、上述した構成に加え、略円柱状に形成された後端部を有することが好ましい。
【００１１】
また、上述した構成に加え、後端部は、先端部の雄ねじ部と螺合し得る雌ねじ部を備えた収容部を有することが好ましい。
【発明の効果】
【００１２】
請求項１ないし４記載の発明によれば、適度な硬さを有する先端部によって、水草や藻等を掻き分けることで、針基端部を水草や藻等の根掛かりを防止するとともに、岩礁やその他障害物等に釣針が衝突する場合、先端部が岩礁等の根掛かりを引き起こし得るものに衝突して釣糸に振動を伝えることで、釣人に根掛かりを引き起こし得る岩礁やその他障害物が釣針付近に存在することを伝え、無理に釣糸を巻き付ける行為による根掛かりを防止する根掛かり防止具を提供することが可能である。
【００１３】
請求項５および６記載の発明によれば、適度な軟さを有する後端部によって、様々なサイズの釣針基端部を収容することができるとともに、適度な硬さを有する挟持部で挟持された針基端部全体を、適度な軟さの収容部で保持することによって、釣針基端部及び釣糸の結び目に掛かる負荷を軽減して保護することすることが可能である。
【図面の簡単な説明】
【００１４】
【図１】本発明の実施形態に係る根掛かり防止具を示す分解斜視図である。
【図２】図１の根掛かり防止具を釣針基端部に装着した状態を示す斜視図である。
【図３】図１の根掛かり防止具を釣針基端部に装着した状態を示す(a)正面から見た中央縦断面図、(b)側面から見た中央縦断面図である。
【図４】根掛かりを防止する状態を示す概念図である。
【発明を実施するための形態】
【００１５】
本発明の実施形態について図に基づいて詳細に説明する。
【００１６】
(実施形態)
根掛かり防止具１は、図１に示すように、硬質材を主体とする素材から形成された先端部１０と、軟質材を主体とする素材から形成された後端部２０と、後端部２０より先端部１０までに釣糸Sを挿通するように穿設された挿通孔３０と、からなるものである。この後端部２０の内部には、釣針基端部４１を収容する収容部２１が形成される。
【００１７】
先端部１０は、略円錐状に形成され、先端部１０の底面より下方に延出してなる略円柱状の接続部１１を有している。この接続部１１の外周面には、後述する後端部２０内の収容部２１に形成された雌ねじ部２２と螺合し得る雄ねじ部１２を有している。なお、この硬質材は、ABS樹脂からなるプラスチック、鉛等の適度な硬さと適度な浮力に調整する重量を有するものであればよい。
【００１８】
この接続部１１は、後端部２０の収容部２１に遊嵌合した状態で収容された釣針基端部４１及び釣糸Sの結び目を挟持し得るように中央部を切り欠いて形成された２つの切欠面１４、１４からなる挟持部１３を備えている（図３参照）。
【００１９】
後端部２０は、略円柱の上面より底面方向に、釣針基端部４１全体を遊嵌して収容し得る程度の空間の略円柱状の窪みが形成された収容部２１を有している（図１及び図３参照）。この収容部２１の側面には、上述の接続部１１の雄ねじ部１２と螺合し得る雌ねじ部２２が形成され、釣針基端部４１を挟持部１３により挟持した状態の接続部１１全体を覆うようにして螺合するものである（図３参照）。また、この後端部２０の略円柱状の径は、先端部１０の底面の径よりも少なくとも同程度かそれ以上の大きさの径にすることが好ましい。なお、この軟質材は、熱可塑性樹脂からなるゴム等の適度な軟さを有するものであればよい。
【００２０】
次に、上述した構成に従って形成された根掛かり防止具１を釣針４０及び釣糸Sに装着する方法を詳細に説明する。
【００２１】
まず、根掛かり防止具１を、先端部１０と、後端部２０とに分離した後、それぞれ先端部１０の挿通孔３０、後端部２０の挿通孔３０の順番に釣糸Sを挿通し、先端部１０の接続部１１の雄ねじ部１２を、後端部２０の雌ねじ部２２にねじ込んで螺合する。
【００２２】
その後、後端部２０より下方に露出した釣糸Sを釣針基端部４１に結ぶことで結び目を形成し、後端部２０の挿通孔３０にねじ込んで収容部２１に遊嵌合した状態で収容する。このとき、挟持部１３の切欠面１４、１４で、釣針基端部４１及び釣糸Sの結び目を挟持させる（図２及び図３参照）。
【００２３】
上述した構成による根掛かり防止具１は、適度な硬さを有する先端部１０によって、水草や藻等を掻き分けることで、釣針基端部４１の水草や藻等に対して根掛かりを防止することが可能である。
【００２４】
また、この根掛かり防止具１は、図４に示すように、岩礁及びその他の障害物Rに釣針が衝突する場合、先端部１０が岩礁やその他障害物Rの根掛かりを引き起こし得るものに衝突して釣糸Sに振動を伝えることで、釣人に根掛かりを引き起こし得る岩礁やその他障害物Rが釣針４０付近に存在することを伝え、無理に釣糸Sを巻き付ける行為による根掛かりを防止することが可能である。
【００２５】
また、この根掛かり防止具１は、軟質材を主体とする素材から形成された後端部２０にすることによって、様々なサイズの釣針基端部４１を収容することができるとともに、その挟持部１３全体を覆う軟性の収容部２１と、適度な硬さを有する挟持部１３で挟持された釣針基端部４１及び釣糸Sの結び目全体を適度な軟さの収容部２１で保持することで、釣針基端部４１及び釣糸Sの結び目に掛かる負荷を軽減して保護することが可能である（図３参照）。
【符号の説明】
【００２６】
1…根掛かり防止具、10…先端部、11…接続部、12…雄ねじ部、13…挟持部、14…切欠面、20…後端部、21…収容部、22…雌ねじ部、30…挿通孔、40…釣針、41…釣針基端部、S…釣糸、R…岩礁やその他障害物
【図１】
2018161111.tif 000003
【図２】
2018161111.tif 000004
【図３】
2018161111.tif 000005
【図４】
2018161111.tif 000006